(57)【特許請求の範囲】
【請求項１】
回転駆動力を発生させる駆動装置と、
管路の外周面に取り巻くように配置され、前記駆動装置からの回転駆動力を受ける歯車装置と、
前記管路の外周面に取り巻くように配置され、前記歯車装置と一体となって回転して前記管路を切断する切断装置と、を備える管路切断治具であって、
前記切断装置は、各々がカッターを備える複数の分割体で構成され、前記カッターは前記分割体と一端が固定され、前記分割体を連結して前記カッターを前記管路の外周面に接するようにして前記管路の外周面に配置され、前記カッターには、前記分割体と固定されている箇所に管路の厚さに応じた切込み深さを調節する切込み調整バネが取り付けられていることを特徴とする管路切断治具。
【発明の詳細な説明】
【技術分野】
【０００１】
本発明は、ケーブルが収容されている狭隘箇所の通信管路を切断する管路切断冶具に関する。
【背景技術】
【０００２】
橋梁添架等の通信管路を補修により切断する場合、管路内に収容されているケーブルを損傷させないため、専用の切管用適正工具（切管工具）により切断作業を実施している。その専用の切管工具の一般的な構造としては、切断する刃の部分が管路内のケーブルに達しないような構造となっており、個別にケーブルを防護せずに切断作業を実施している。
【０００３】
図１１は、専用の切管工具で管路を切断しているときの他の管路との位置関係を説明する図である。専用の切管工具２０が使用可能な管路１の間隔は、工具により多少の差異があるが、図１１に示すように、概ね３．５ｃｍ以上が必要である。そのため、管路１の間隔が３．５ｃｍ以下の場合は、専用の切管工具２０の使用が困難である。
【０００４】
このような場合、管路１の間隔が３．５ｃｍ以下の狭隘な個所に、図１２に示すように、管の相互間にクサビ２６を打ち込み、管の相互間隔を拡げて専用の切管工具２０をセットして切断作業を実施している。
【０００５】
なお、特許文献１には、ケーブル収容管の外周面を巻くように取り回すことが可能なチェーンと、このチェーンの長さ方向に沿って設けられた多数の鋸歯状のカッターとを備えるケーブル収容管切断装置が開示されている。
【先行技術文献】
【特許文献】
【０００６】
【特許文献１】特開２０００−２６３３１６号公報
【発明の概要】
【発明が解決しようとする課題】
【０００７】
しかしながら、図１３に示すように、橋梁添架管路の橋台２５の際等における管路間隔が狭隘な個所では、クサビ２６を打ち込んで管の相互間隔を拡げることが不可能であり、上述した専用の切管工具２０をセットできない場合がある。したがって、専用の切管工具の使用が困難なことから切断作業ができずに補修が実施されないことがある。
【０００８】
本発明は、このような問題点に鑑みてなされたものであり、本発明の目的は、管路間隔が狭隘な個所においても管路の相互間隔を拡げることをせずに切断作業ができる管路切断冶具を提供することにある。
【課題を解決するための手段】
【０００９】
上記目的を達成するため、本発明は、回転駆動力を発生させる駆動装置と、管路の外周面に取り巻くように配置され、前記駆動装置からの回転駆動力を受ける歯車装置と、前記管路の外周面に取り巻くように配置され、前記歯車装置と一体となって回転して前記管路を切断する切断装置と、を備える管路切断治具であって、前記切断装置は、カッターを備える複数の分割体で構成され、前記分割体を連結して前記カッターを前記管路の外周面に接するようにして前記管路の外周面に配置され、前記カッターには、管路の厚さに応じた切込み深さを調節する切込み調整バネが取り付けられていることを特徴とする管路切断治具。
【発明の効果】
【００１１】
本発明は、管路間隔が狭隘な個所において専用の切管工具が使用できない場合でも、管路の相互間隔を拡げることをせずに補修のための切断作業が可能となる。
【００１２】
また、本発明は、切管工具が使用できないために不良設備、不安定設備が解消されないことに対して、安全な補修施工が可能となる。
【図面の簡単な説明】
【００１３】
【図１】本発明の実施の形態に係る管路切断治具を、切断する管路に取り付けたときの管路切断治具の正面図である。
【図２】図１のＢ−Ｂ’線から見た矢視図である。
【図３】図１のＡ−Ａ’線から見た矢視図である。
【図４】切断部の側面図である。
【図５】５分割された切断部の１分割体を示す図である。
【図６】鋸刃の正面図である。
【図７】鋸刃支持部の正面図と平面図である。
【図８】切込み調整バネの正面図と平面図である。
【図９】鎖状に連結された分割体の連結箇所のうちの１箇所を解放したときの切断部を示す図である。
【図１０】ケーブル防護部材の切断対象位置への挿入方法を説明する図である。
【図１１】専用の切管工具で管路を切断しているときの他の管路との位置関係を説明する図である。
【図１２】管の相互間にクサビを打ち込んだときの状態を示す図である。
【図１３】橋台際等では管の相互間隔を拡げられないことを示す図である。
【発明を実施するための形態】
【００１４】
本発明の実施の形態について図面を参照して説明する。本発明は、管路間隔が狭隘な個所において管路の所定位置を切断するために使用する管路切断冶具である。図１は、本発明の実施の形態に係る管路切断治具を、切断する管路に取り付けたときの、管路切断治具の正面図であり、図２は、図１のＢ−Ｂ’線から見た矢視図（管路切断治具の側面図）である。また、図３は、図１のＡ−Ａ’線から見た矢視図（断面図）である。
【００１５】
図１〜３に示す管路切断治具は、管路切断冶具の本体となる分割回転切断冶具２と、分割回転切断冶具２を管路１に安定させるために取り付けるストッパーリング３と、分割回転切断冶具２に回転駆動力を伝える駆動冶具４と、管路切断冶具から離れた位置で回転駆動力を伝達するフレキシブルシャフト５と、回転駆動力を発生させて、分割回転切断冶具２を回転駆動させる回転ハンドル１１（駆動装置）とを備えている。
【００１６】
分割回転切断冶具２は、管路１の外周面に取り巻くように配置され、管路１を切断するカッター１２を備えた切断部６（切断装置）と、軸受け７と、平歯車８（歯車装置）とが一体となったものであり、管路１の外周面を取り巻くことができるように回転軸方向に５分割されたものを鎖状に連結したものである。
【００１７】
図４は、切断部６の側面図である。切断部６は、カッター１２を備える５分割された円弧状の分割体で構成されており、それぞれの分割体は、鎖状に連結されている。切断部６は、カッター１２を管路１の外周面に接するようにして管路１の外周面に取り巻くように配置される。
【００１８】
図５に示すように、５分割された切断部６の１分割体には、カッター１２が取り付けられており、カッター１２には、切込み調整バネ１３が取り付けられている。カッター１２は、切込み調整バネ１３により管路１の厚さ（肉厚）に応じた切込み深さの調節が可能であり、過大な切込みによる収容ケーブルの損傷防止を図ることが可能である。カッター１２は、管路１を切断するための鋸刃１４と、鋸刃１４を支持するための鋸刃支持部１５からなる。図６は、鋸刃１４の正面図であり、図７は、鋸刃支持部１５の正面図と平面図である。
【００１９】
切込み調整バネ１３は、カッター１２の切込み強さを一定に保つことを可能とする。図８は、切込み調整バネ１３の正面図と平面図である。また、図９は、鎖状に連結された分割体の連結箇所のうちの１箇所を解放したときの切断部を示す図である。
【００２０】
軸受け７は、切断部６に回転駆動力を伝達するものであり、回転を滑らかにする目的で、管路１の外周に接触する内面に突起（図示せず）をつけた構造としている。軸受け７は、円弧状に５分割されている。
【００２１】
平歯車８は、駆動ギヤＡ９からの回転駆動力を受けて、軸受け７および切断部６と一体となって回転するものであり、回転を滑らかにする目的で、管路１の外周に接触する内面にメタル（例えば青銅）１６を配置した構造としている。平歯車８は、円弧状に５分割されている。
【００２２】
ストッパーリング３は、半割りのリング形状の部品であり、管路１の切断切込み時の初期において、カッター１２の刃先のぶれを抑え、切込みをスムーズに効率よくするためのもので、分割回転切断冶具２の片端に接するように取り付ける。切断位置が橋台際の場合は、橋台側に設置する。
【００２３】
駆動冶具４は、分割回転切断冶具２のもう一方の片端に接するように取り付ける。ストッパーリング３と同様に半割りのリング形状をしており、回転時のぶれを抑制する目的のほか、外部からの回転駆動力を平歯車８に伝達するためのギヤ部品が取り付けられている。ギヤ部品として、平歯車８に回転駆動力を伝達するため３つの平歯車で構成される駆動ギヤＡ９と、外部からの回転駆動力を駆動ギヤＡ９に伝達するために直交する２軸のかさ歯車を配置した駆動ギヤＢ１０が取り付けられている。
【００２４】
フレキシブルシャフト５は、管路切断冶具本体から離れた位置で、外部の駆動装置からの回転駆動力を伝達可能とするものである。
【００２５】
なお、上述した実施の形態では、分割回転切断冶具２は、５分割したものを鎖状に連結しているが、５分割に限るものではなく、いずれの分割数でもよい。
【００２６】
次に、本発明の実施の形態に係る管路切断治具を用いてケーブル収容管路を切断するときの動作について説明する。
【００２７】
まず、管路内にケーブルが収容されている場合は、切断に先立ち、切断対象位置へケーブル防護部材を挿入してケーブルを防護する。カッター１２の刃先が管路１の肉厚以上に切り込まないような調整を可能とするが、できる限りの安全対策をする目的でケーブルの防護措置を行う。図１０は、ケーブル防護部材の切断対象位置への挿入方法を説明する図である。ケーブル防護部材２１の管路切断位置２２への挿入は、専用の切管工具により管路切断が可能である管路間隔が標準の位置において管路１を切断、除去した後、その開口端部から行われる。ケーブル防護部材２１は、ケーブル２４を防護する円筒状の半割可能な構造を有しており、開口端部から挿入ロッド２３を連結して挿入される。挿入ロッド２３には、挿入位置を示す目盛が付加されており、この目盛りにより、管路切断位置２２が、開口端部または橋台２５の際の任意の位置であっても、管路切断位置２２にケーブル防護部材２１を挿入できる。
【００２８】
管路切断位置２２にケーブル防護部材２１を挿入した後、図１に示すように、橋台２５側にてストッパーリング３を管路１に固定し、ストッパーリング３に接するように分割回転切断冶具２を配置する。すなわち、５分割された切断部６と軸受け７と平歯車８を、管路１の外周面を取り巻くように連結して配置する。分割回転切断冶具２を配置後、駆動冶具４を分割回転切断冶具２に接するように、かつ駆動ギヤＡ９と平歯車８の歯筋が噛み合うように取り付ける。フレキシブルシャフト５の片端を、管路１に直交する方向に出ている駆動ギヤＢ１０の軸に接合する。そして、回転ハンドル１１を手動で回すことにより、駆動冶具４のギヤの回転駆動力により、分割回転切断冶具２の平歯車８を回転させて、切断部６に取り付けてあるカッター１２を管路１の外周面に接するようにして切断部６を回転させて管路１を切断する。
【００２９】
切断が進むと切断の溝が深くなっていくが、切込み調整バネ１３によりカッター１２の切込み強さを一定に保ちながら切断作業が続けられる。
【００３０】
なお、上述した実施の形態では、回転ハンドル１１（駆動装置）は、手動によりフレキシブルシャフト５を介してギヤ、歯車を回転させているが、電動工具用のアタッチメントを接続できる構造となっており、電動による切断作業も可能である。
【００３１】
上述したように、本発明の実施の形態に係る管路切断冶具は、分割されたリング状の冶具を用いるため管路の間隔が狭隘な場所においても切断作業が可能となる。本発明の冶具では、管路の間隔が概ね１．５ｃｍ以上あれば、切断可能である。
【００３２】
また、本発明の実施の形態に係る管路切断冶具は、手動駆動および電動駆動による切断が可能であり、切込み状況に応じた切断速度の調節が可能である。
【００３３】
また、本発明の実施の形態に係る管路切断冶具は、管路の外周全体をリング状に取り巻くように設置され、切込み強さも一定に保たれるため、設置後において調整をすることなく管路外周全長の切断が可能である。
【００３４】
また、従来の切管工具の刃（カッター）は、円形または鋸歯状のものが一般的であり、多数の関連取付け部品により構成されているが、本発明の実施の形態に係る管路切断冶具は、市販の鋸歯状カッターを加工したものであるため、装置構成がシンプルで、刃の交換を容易に行うことが可能である。
【符号の説明】
【００３５】
１  管路
２  分割回転切断冶具
３  ストッパーリング
４  駆動治具
５  フレキシブルシャフト
６  切断部
７  軸受け
８  平歯車
９  駆動ギヤＡ
１０  駆動ギヤＢ
１１  回転ハンドル
１２  カッター
１３  切込み調整バネ
１４  鋸刃
１５  鋸刃支持部
１６  メタル
２０  切管工具
２１  ケーブル防護部材
２２  管路切断位置
２３  挿入ロッド
２４  ケーブル
２５  橋台
２６  クサビ
【図１】
0005839569.tif 000002
【図２】
0005839569.tif 000003
【図３】
0005839569.tif 000004
【図４】
0005839569.tif 000005
【図５】
0005839569.tif 000006
【図６】
0005839569.tif 000007
【図７】
0005839569.tif 000008
【図８】
0005839569.tif 000009
【図９】
0005839569.tif 000010
【図１０】
0005839569.tif 000011
【図１１】
0005839569.tif 000012
【図１２】
0005839569.tif 000013
【図１３】
0005839569.tif 000014